(57)【要約】【課題】装着者に密着させた状態で固定可能な医療用四肢ベルトを提供する。【解決手段】  医療用四肢ベルト１は、長尺形状で変形可能であり、孔２４を有する帯部２と、孔２４を通過可能な太さの通過部４と、通過部４の太さより太くかつ孔２４の縁部２７に係止可能な少なくとも一つの膨らみ部３と、を有する紐部５を備える。帯部２と膨らみ部３の少なくとも一方は、弾性を有する。【選択図】図１
2019055048.tif 000002
【特許請求の範囲】
【請求項１】
長尺形状で変形可能であり、孔を有する帯部と、
前記孔を通過可能な太さの通過部と、前記通過部の太さより太くかつ前記孔の縁部に係止可能な膨らみ部と、を有する紐部を備え、
前記帯部と前記膨らみ部の少なくとも一方が弾性を有する医療用四肢ベルト。
【請求項２】
前記膨らみ部及び前記通過部を複数備え、前記膨らみ部と前記通過部が交互に前記紐部に配置されている請求項１に記載の医療用四肢ベルト。
【請求項３】
前記帯部及び前記膨らみ部は、弾性を有する請求項１または請求項２に記載の医療用四肢ベルト。
【請求項４】
前記帯部及び前記紐部は、弾性を有する請求項１から請求項３のいずれか一項に記載の医療用四肢ベルト。
【請求項５】
前記膨らみ部は、側面視でテーパー形状に形成されている請求項１から請求項４のいずれか一項に記載の医療用四肢ベルト。
【請求項６】
前記通過部は、円柱形状に形成されている請求項１から請求項５のいずれか一項に記載の医療用四肢ベルト。
【請求項７】
前記紐部は、前記通過部を複数有し、
複数の前記通過部のうち前記帯部から最も遠い通過部は、前記帯部から二番目に遠い通過部よりも長くなるように構成されている請求項１から請求項６のいずれか一項に記載の医療用四肢ベルト。
【請求項８】
前記孔の一部を端部とし、前記帯部の幅方向に前記紐部を通過可能な切り込み部を備える請求項１から請求項７のいずれか一項に記載の医療用四肢ベルト。
【請求項９】
前記切り込み部の少なくとも一部を含む第一領域の前記帯部の厚みは、前記第一領域以外の前記帯部の厚みよりも厚く形成されている請求項８に記載の医療用四肢ベルト。
【請求項１０】
前記帯部は、前記切り込み部が形成された帯部本体と、前記帯部本体とつながるように構成された基端部を有する覆い部と、を有し、
前記覆い部は、前記基端部から前記切り込み部を覆う方向に延長される自由端部と、前記切り込み部よりも前記自由端部の側となる位置において、前記帯部本体に係合する係合部とを有する請求項８または請求項９に記載の医療用四肢ベルト。
【請求項１１】
前記帯部は、前記孔を一端とする切り欠き部を有する請求項１から請求項１０のいずれか一項に記載の医療用四肢ベルト。
【発明の詳細な説明】
【技術分野】
【０００１】
本開示は、医療用四肢ベルトに関する。
【背景技術】
【０００２】
心電図測定用の電極を四肢に取り付けるため、クリップなどが用いられる（例えば、特許文献１）。特許文献１の四肢電極用クリップは、支軸により連結される一対の挟持板と、支軸よりも基端側の各挟持板に設けられる一対の把持部と、一対の把持部を近接する方向に押圧付勢するばねと、一方の挟持板の先端側に固定される測定用電極と、を備える。測定時には、クリップの一対の挟持板を四肢に固定し、クリップを面状ファスナーで覆って、測定用電極を四肢に固定する。
【先行技術文献】
【特許文献】
【０００３】
【特許文献１】実開平６−８６７０４号公報
【発明の概要】
【発明が解決しようとする課題】
【０００４】
しかし、特許文献１のクリップは、一対の挟持板を装着者に装着した状態において、支軸と挟持板との間及び挟持板の先端側（支軸と反対側）が、装着者の皮膚から浮いた状態となり易かった。このため、面状ファスナーを用いてクリップを固定しても、クリップ全体が装着者の皮膚に完全に密着した状態となりにくく、改善の余地があった。
【０００５】
本開示は、装着者に密着させた状態で固定可能な医療用四肢ベルトを提供することを目的とする。
【課題を解決するための手段】
【０００６】
上記目的を達成するために、本開示の医療用四肢ベルトは、
長尺形状で変形可能であり、孔を有する帯部と、
前記孔を通過可能な太さの通過部と、前記通過部の太さより太くかつ前記孔の縁部に係止可能な少なくとも一つの膨らみ部と、を有する紐部を備え、
前記帯部と前記膨らみ部の少なくとも一方が弾性を有する。
【０００７】
上記構成によれば、変形可能な帯部を備えるので、医療用四肢ベルトを装着者の皮膚に密着（フィット）させることができる。また、帯部と膨らみ部の少なくとも一方が弾性を有するので、医療用四肢ベルトを装着者に密着させた状態で容易に固定できる。
【発明の効果】
【０００８】
本開示によれば、装着者に密着させた状態で固定可能な医療用四肢ベルトを提供することができる。
【図面の簡単な説明】
【０００９】
【図１】本開示の実施形態に係る医療用四肢ベルトの一例を説明する図であり、（ａ）は平面図、（ｂ）は下面図、（ｃ）は側面図、（ｄ）は平面図の一部拡大図、（ｅ）は側面図の一部拡大図、（ｆ）は紐部を（ａ）のＡ方向から見た図である。
【図２】図１に示す医療用四肢ベルトの使用例の説明図である。
【図３】医療用四肢ベルト（変形例１）を説明する説明図であり、（ａ）は平面図、（ｂ）は下面図、（ｃ）は側面図である。
【図４】覆い部を備える医療用四肢ベルト（変形例２）の説明図であり、（ａ）は平面図、（ｂ）は側面図である。
【図５】非観血血圧測定装置に用いる医療用四肢ベルト（変形例３）の説明図であり、（ａ）は平面図、（ｂ）は側面図、（ｃ）は紐部を（ａ）のＡ方向から見た図である。
【図６】医療用四肢ベルト（変形例４）の説明図であり、（ａ）は平面図、（ｂ）は下面図、（ｃ）は側面図である。
【発明を実施するための形態】
【００１０】
以下、本開示に係る医療用四肢ベルトの実施の形態の例を、図面を参照して説明する。
【００１１】
図１は、本開示の実施形態に係る医療用四肢ベルト１の一例を説明する図である。図１に示すように、医療用四肢ベルト１は、帯部２と、膨らみ部３及び通過部４を備える紐部５と、を有している。
【００１２】
帯部２は、長尺形状で変形可能な帯部材である。ここでいう変形とは、帯部２が腕等の装着箇所に合わせて変形することを指す。帯部２は、皮膚に接する裏面２１と、裏面２１の反対面である表面２２とを有している。帯部２は、装着者の装着箇所に合わせた任意の長さで形成することができる。帯部２は、任意の幅で形成することができる。帯部２は、帯部２の裏面２１のうち、装着者に直接接する部位を平坦に形成してもよい。平坦に形成された帯部２の裏面２１には、測定用電極等を設置してもよい。
【００１３】
帯部２は、表面２２における長尺方向の任意の位置に、紐部５の一端を接合させる接合部２３を有している。接合部２３は、図１に示す帯部２の長尺方向における端部でもよく、帯部２の長尺方向における中間付近（不図示）であってもよい。また、接合部２３は、帯部２の側面（不図示）であってもよい。
【００１４】
帯部２は、表面２２及び裏面２１を貫通する孔２４を有している。孔２４の形状は、図１では円形状としているが、この形状に限らない。孔２４の形状は、楕円でもよく、矩形でもよい。また、孔２４の形状は、後述する膨らみ部３の形状に相似する形状で形成してもよい。
【００１５】
帯部２は、切り込み部２５を有する構成とすることができる。切り込み部２５は、図１に示すように、孔２４の一部を端部とし、この孔２４の一部と帯部２の幅方向の長辺のいずれか一辺とをつなぐ直線状の切れ目で構成することができる。
【００１６】
帯部２は、所定の厚みで構成することができる。帯部２は、均一の厚みで構成してもよく、不均一の厚みで構成してもよい。不均一の厚みで構成される帯部２は、切り込み部２５の少なくとも一部を含む領域（図１に示す第一領域２６）の帯部２の厚みを、第一領域２６以外（例えば接合部２３付近）の帯部２の厚みよりも厚くすることにより形成してもよい。
【００１７】
紐部５は、図１に示すように、全体として紐状に形成されている。紐部５は、通過部４の太さより太くかつ孔２４の縁部２７に係止可能な膨らみ部３と、帯部２の孔２４を通過可能な太さを有する通過部４とを有している。すなわち通過部４の太さ（図１（ａ）における帯部２の短辺方向の長さ）は、帯部２の孔２４の直径よりも小さい。帯部２の長さ（長辺の長さ）は、一般的な医療用四肢ベルトの装着箇所の周囲径よりも短い。また帯部２の長さ（長辺の長さ）と紐部５の長さの合計は、一般的な医療用四肢ベルトの装着箇所の周囲径よりも長い。
【００１８】
膨らみ部３は、帯部２の孔２４を通過することにより装着者における医療用四肢ベルト１の装着長さを変更可能に構成されている。膨らみ部３は、例えば、側面視でテーパー形状に形成される側面と、孔２４の縁に係止する底面とを有する錐体で構成することができる。また、膨らみ部３は、平面視で半楕円形状（図５参照）としてもよい。また、紐部５が複数の膨らみ部３を有する場合、複数の膨らみ部３の大きさは、均一であってもよく、ばらつきがあってもよい。
【００１９】
膨らみ部３は、孔２４の縁に係止する係止面３１を有している。例えば、図１の（ａ）から（ｃ）に示す、紐部５の長尺方向における帯部２側の膨らみ部３の側面を、膨らみ部３の係止面３１とすることができる。係止面３１は、押圧されたときには弾性変形して、孔２４を通過するように構成することができる。
【００２０】
通過部４は、孔２４を通過可能な太さで構成されている。通過部４は、孔２４を通過可能な太さであればよく、各種の構成とすることができる。通過部４は、例えば、図１（ｆ）に示すように、円柱形状で構成してもよく、断面が楕円形状の扁平な形状（図５（ｃ）参照）で構成してもよい。
【００２１】
紐部５は、少なくとも一つの膨らみ部３と、膨らみ部３と隣接する少なくとも一つの通過部４で構成することができる。紐部５は、複数の膨らみ部３と複数の通過部４とを交互に配置して任意の長さに形成してもよい。
【００２２】
膨らみ部３と交互に配置される通過部４は、異なる長さで形成される複数の通過部４により構成することができる。紐部５は、図１の（ｃ）に示す、第一通過部４１、第二通過部４２、第三通過部４３、第四通過部４４、第五通過部４５、第六通過部４６、第七通過部４７からなる複数の通過部４を有する構成とすることができる。複数の通過部４のうち帯部２から最も近い通過部である第一通過部４１の長さ（図１の左右方向の長さ）は、第二通過部４２、第三通過部４３、第四通過部４４、第五通過部４５、第六通過部４６、第七通過部４７の各長さよりも長い構成とすることができる。また、第二通過部４２、第三通過部４３、第四通過部４４、第五通過部４５、第六通過部４６を同じ長さで形成し、第一通過部４１及び第七通過部４７の長さを、第二通過部４２から第六通過部４６のそれぞれの長さよりも長い構成としてもよい。
図１では、帯部２から最も遠い第七通過部４７の長さを、帯部２から二番目に遠い第六通過部４６の長さよりも長い構成としている。第七通過部４７は、手で持ちやすい程度に十分な長さで構成することができる。第一通過部４１、第二通過部４２、第三通過部４３、第四通過部４４、第五通過部４５、第六通過部４６は、帯部２に対する紐部５の位置調整を細かく行い易い長さ、例えば、帯部２の厚みとほぼ等しい長さで構成することができる。
【００２３】
上記構成の医療用四肢ベルト１において、帯部２と膨らみ部３の少なくとも一方は、弾性を有する。すなわち、帯部２と膨らみ部３の少なくとも一方は、弾性変形するように構成されている。
【００２４】
帯部２が弾性を有する場合、帯部２の全体が弾性を有してもよく、帯部２の一部が弾性を有してもよい。
帯部２の全体が弾性を有する場合、帯部２の長尺方向の長さが装着者の装着箇所に適した長さに変化し、かつ、孔２４の内径が大きくなるように変化する。このため、医療用四肢ベルト１を装着するときに装着者にフィットさせやすくなり、医療用四肢ベルト１を外すときに外しやすくなる。
帯部２の一部が弾性を有する場合、孔２４を含む帯部２の一部が弾性を有する構成としてもよい。孔２４を含む帯部２の一部が有する弾性により、孔２４の縁部２７は変形し、孔２４の内径が大きくなるように変化する。
また、帯部２の一部が弾性を有する場合、孔２４を含まない帯部２の一部が弾性を有する構成としてもよい。孔２４を含まない帯部２の一部が有する弾性により、帯部２の長尺方向の長さが変化して、装着者の装着箇所に適した長さに変形する。
【００２５】
膨らみ部３が弾性を有する場合、膨らみ部３の全体が弾性を有してもよく、膨らみ部３の係止面３１が弾性を有してもよい。
膨らみ部３の全体が弾性を有する場合、膨らみ部３の全体形状が弾性変形して孔２４の内径よりも小さくなり、孔２４を通過する。
また、膨らみ部３の係止面３１が弾性を有する場合、膨らみ部３の係止面３１が弾性変形して孔２４の内径よりも小さくなり、孔２４を通過する。
【００２６】
また、帯部２及び膨らみ部３が弾性を有するように構成されてもよい。帯部２及び膨らみ部３が弾性変形することにより、孔２４を膨らみ部３が通過する。帯部２が変形可能であり、帯部２及び膨らみ部３の両方が弾性を有することにより、医療用四肢ベルト１を装着するときに、装着者の装着箇所によりフィットさせやすくなり、医療用四肢ベルト１を外すときに、より外しやすくなる。
【００２７】
また、帯部２と膨らみ部３と通過部４が弾性を有しても良い。すなわち、帯部２及び紐部５が弾性変形するように構成されてもよい。帯部２が変形可能であり、帯部２及び紐部５の両方が弾性を有することにより、医療用四肢ベルト１を装着するときに、装着者の装着箇所によりフィットさせやすくなり、医療用四肢ベルト１を外すときにより外しやすくなる。
【００２８】
帯部２、膨らみ部３、膨らみ部３の係止面３１、通過部４、紐部５の少なくとも一つが有する弾性は、材質による弾性とすることもできる。例えば、弾性変形が可能なシリコーンで構成してもよく、その他のゴム等の各種の弾性変形が可能な材料で構成してもよい。
【００２９】
次に、本開示の医療用四肢ベルト１の使用例について、図１及び図２を用いて説明する。図２は、腕に固定する医療器具６に、本開示の医療用四肢ベルト１を用いる例である。医療器具６は、被検者の生体信号を取得するセンサの一態様であり、例えば金属電極である。
【００３０】
図２に示すように、医療器具６を、装着者の右腕の皮膚に当てて、右腕に帯部２を巻きつける。孔２４以外の帯部２の裏面２１が医療器具６を覆う位置になるように、帯部２の位置を調整する。帯部２の裏面２１が医療器具６を覆って固定した状態で、切り込み部２５に沿って紐部５を通過させて、紐部５を帯部２の孔２４に通し、孔２４内に紐部５を配置した状態で、帯部２の裏面２１が右腕の皮膚に密着するまで、紐部５を腕から離れる方向に引っ張る。帯部２の裏面２１が右腕の皮膚に密着した状態で、複数の膨らみ部３から最適な位置の膨らみ部３を選んで、膨らみ部３の係止面３１を孔２４の縁部２７に係止させて、紐部５を孔２４の縁部２７に係止する。
【００３１】
以上説明したように、本実施形態の医療用四肢ベルト１によれば、変形可能な帯部２を備えるので、医療用四肢ベルト１を装着者の皮膚に密着（フィット）させることができる。また、帯部２と膨らみ部３の少なくとも一方が弾性を有するので、医療用四肢ベルト１を装着者に密着させた状態で容易に固定できる。
【００３２】
また、本実施形態の医療用四肢ベルト１によれば、膨らみ部３と通過部４とが交互に紐部５に配置されるので、最適な位置の膨らみ部３を孔２４の縁部２７に係止することができ、医療用四肢ベルト１を固定することができる。
【００３３】
また、本実施形態の医療用四肢ベルト１によれば、帯部２及び膨らみ部３の両方が弾性を有することにより、医療用四肢ベルト１を装着するときに、装着者の装着箇所によりフィットさせやすくなり、医療用四肢ベルト１を外すときにより外しやすくなる。
【００３４】
また、本実施形態の医療用四肢ベルト１によれば、帯部２及び紐部５の両方が弾性を有することにより、医療用四肢ベルト１を装着するときに、装着者の装着箇所によりフィットさせやすくなり、医療用四肢ベルト１を外すときにより外しやすくなる。
【００３５】
また、本実施形態の医療用四肢ベルト１によれば、膨らみ部３が側面視でテーパー形状に形成されているので、膨らみ部３が孔２４の縁部２７に確実に係止される。
【００３６】
また、本実施形態の医療用四肢ベルト１によれば、通過部４は円柱形状に形成されているので、医療用四肢ベルト１の装着位置を調整する際に通過部４がスムーズに通過し易いと共に、装着後には通過部４が孔２４をより容易に通過することができる。
【００３７】
また、帯部２から最も遠い通過部４７は、手で持ちやすい程度に十分な長さであることが好ましい。帯部２から最も遠い通過部４７を手で持つことにより、紐部５を持ちやすくなるとともに、切り込み部２５に紐部５を通過させやすくなり、孔２４に紐部５をより入れやすくなる。
帯部２から二番目に遠い通過部４６、その他の通過部４５、４４、４３、４２、４１は、紐部５の位置調整を細かく行うために、短いことが好ましい。
すなわち、本実施形態の医療用四肢ベルト１のように、帯部２から最も遠い通過部４７は、帯部から二番目に遠い通過部４６よりも長くなるように構成されていることが好ましい。
【００３８】
また、本実施形態の医療用四肢ベルト１によれば、帯部２の幅方向に紐部５を通過可能な切り込み部２５を備えるので、医療用四肢ベルト１を容易に着脱できる。
【００３９】
また、本実施形態の医療用四肢ベルト１によれば、切り込み部２５の少なくとも一部を含む第一領域２６の帯部２の厚みは、第一領域２６以外の帯部２の厚みよりも厚く形成されているので、切り込み部２５の強度が向上する。このため、紐部５が、切り込み部２５の通過を繰り返しても、孔２４の縁部２７から帯部２が破けることを防止することができる。
【００４０】
本開示の医療用四肢ベルト１は、図１及び図２に示す例に限らない。本開示の医療用四肢ベルト１は、装着者の四肢に固定可能な各種の医療用機器に用いることができる。一例として、本開示の医療用四肢ベルト１Ａに医療器具を差し込んで設置する例（変形例１）を、図３を用いて説明する。なお、図１及び図２と共通する構成については、同一符号を付してその説明を省略する。
【００４１】
＜変形例１＞
帯部２Ａは、表面２２から裏面２１に貫通する挿通部６１を有している。帯部２Ａの表面２２に、挿通部６１を覆う筒部６２が設けられている。筒部６２の内側には貫通孔６３が設けられている。貫通孔６３の一端側（帯部２Ａの裏面２１側）は、医療器具挿入部６４を嵌め込み可能な空間を構成している。貫通孔６３の他端側（帯部２Ａの表面２２側）は、医療器具を差し込み可能な空間を構成している。医療器具挿入部６４の一端には、電極板６５が接合されている。
【００４２】
図３に示す医療用四肢ベルト１Ａの使用方法を説明する。使用に先立ち、図３の（ｃ）に示すように、帯部２Ａの裏面２１側から筒部６２の内側に医療器具挿入部６４が挿入される。医療器具挿入部６４は、不図示の固定構造により、筒部６２に固定される。医療器具挿入部６４が筒部６２に固定されることにより、電極板６５は帯部２Ａの裏面２１に設置される。電極板６５を設けた帯部２Ａの裏面２１を装着者の皮膚に当てて、医療用四肢ベルト１Ａを装着者に装着する。装着の詳細については図２の使用例１と重複するので、説明を省略する。
【００４３】
＜変形例２＞
次に、帯部２の変形例２である帯部２Ｂについて、図４を用いて説明する。なお、図１〜図３と共通する構成については、同一符号を付して説明を省略する。
【００４４】
図３に示す医療用四肢ベルト１Ｂの帯部２Ｂは、帯部本体７と、覆い部８を備えている。
【００４５】
帯部本体７は、帯部２Ｂの一部であり、切り込み部２５が形成される部分である。
【００４６】
覆い部８は、帯部２Ｂの一部であり、基端部８１と、自由端部８２を有する。基端部８１は、帯部本体７とつながるように構成されている。自由端部８２は、基端部８１から切り込み部２５を覆う方向に延長されるように構成されている。図４の覆い部８は、帯部２Ｂの表面２２側に設けられているが、覆い部８はこの構成に限らない。覆い部８は、帯部２Ｂの裏面２１側に設けてもよい。
【００４７】
覆い部８は、切り込み部２５よりも自由端部８２の側となる位置において、帯部本体７に係合する係合部８３を有している。帯部本体７には、係合部８３が嵌め込まれる凹部７１が形成されている。
【００４８】
次に、図４に示す医療用四肢ベルト１Ｂの使用例を説明する。
【００４９】
紐部５の膨らみ部３を孔２４の縁部２７に係止する前において、覆い部８は帯部２Ｂの表面２２側で開放されており、凹部７１と係合部８３とは離れている。
切り込み部２５を通過させた紐部５を孔２４に挿通して、膨らみ部３を孔２４の縁部２７に係止した後に、覆い部８の係合部８３を、帯部本体７の凹部７１に係合する。係合部８３が凹部７１に係合すると、覆い部８の自由端部８２から基端部８１までが帯部本体７の表面２２の上に重なる。
【００５０】
本変形例の医療用四肢ベルト１Ｂによれば、覆い部８が帯部本体７に係合するので、紐部５が切り込み部２５を通って外れることを防止することができる。また、覆い部８が帯部本体７に係合するので、膨らみ部３による孔２４の縁部２７における係止を補強することができる。
【００５１】
＜変形例３＞
本開示の医療用四肢ベルトは、非観血血圧（ＮＩＢＰ、Ｎｏｎ−ｉｎｖａｓｉｖｅ  Ｂｌｏｏｄ  Ｐｒｅｓｓｕｒｅ）の測定装置に用いることもできる。図５に示すように、非観血血圧（ＮＩＢＰ）の測定装置に用いる医療用四肢ベルト１Ｃは、帯部２Ｃの裏面２１側に加圧部６６を備えている。なお、図１から図４と同様の構成については、同一符号を付してその説明を省略する。
【００５２】
図５に示す医療用四肢ベルト１Ｃは、帯部２Ｃが変形可能であり、帯部２Ｃの全体及び紐部５の全体が弾性を有している。帯部２Ｃ及び紐部５はシリコーンにより一体的に成形されている。膨らみ部３は、平面視で楕円形状に形成されている。通過部４は、扁平な幅広形状に形成されている。帯部２Ｃの端部には、帯部２Ｂと同様に、係合部８３及び凹部７１が形成されている。
【００５３】
帯部２Ｃの裏面２１には、加圧部６６が着脱可能に装着されている。加圧部６６は、不図示の医療用電源を介して加圧され、膨張および収縮が可能な部材であり、生体情報の測定に用いられる部材である。加圧部６６の膨張及び収縮の程度を予め調整することにより、加圧部６６の剛性を調整可能に構成されている。加圧部６６は、一例として、非観血血圧（ＮＩＢＰ、Ｎｏｎ−ｉｎｖａｓｉｖｅ  Ｂｌｏｏｄ  Ｐｒｅｓｓｕｒｅ）に用いる空気袋（測定用バルーン）とすることができる。
【００５４】
図５に示す医療用四肢ベルト１Ｃの使用において、加圧部６６を装着者の皮膚に直接当てて、切り込み部２５を通過させた紐部５を孔２４に挿通して、膨らみ部３を孔２４の縁部２７に係止した後に、係合部８３を凹部７１に係合する。
【００５５】
上記した医療用四肢ベルト１Ｃによれば、変形可能な帯部２Ｃを備えるので、医療用四肢ベルト１Ｃを装着者の皮膚に密着（フィット）させることができる。また、帯部２Ｃと膨らみ部３が弾性を有するので、医療用四肢ベルト１Ｃを装着者に密着させた状態で容易に固定できる。また、係合部８３が凹部７１に係合するので、紐部５が切り込み部２５を通って外れることを防止し、紐部５の膨らみ部３による係止を補強することができる。
【００５６】
ところで、従来、非観血血圧（ＮＩＢＰ）の測定装置は、測定用バルーンを装着者に固定する帯部材を含んで構成されていた。帯部材は、帯部材の扁平な一面の一端側に面状ファスナーと、測定用バルーンと、測定用バルーンを被う布と、を含んで構成されていた。この従来の測定装置を用いるときは、装着者の四肢に面状ファスナーで測定用バルーンを固定し、測定装置本体の電源を入れて非観血血圧（ＮＩＢＰ）の測定を行っていた。
しかし、従来の測定装置は、測定用バルーンの加圧時に、布が装着者の皮膚に直接接触して、この布の剛性（ごわごわ感、布の硬さ）が装着者に直接伝わり、装着者によってはストレスを感じる者もいたため、改善の余地があった。
これに対し、本変形例の医療用四肢ベルト１Ｃによれば、帯部２Ｃが変形可能であり、装着箇所に沿って帯部２Ｃが変形する。このため、従来の布の強度によるストレスを装着者に与えることが無い。また、本変形例の医療用四肢ベルト１Ｃによれば、帯部２Ｃと膨らみ部３が弾性を有するので、装着者の皮膚への負担も少なく、装着者に医療用四肢ベルト１Ｃを密着させた状態で容易に固定できる。
【００５７】
また、本変形例の加圧部６６を装着した医療用四肢ベルト１Ｃによれば、従来と同様の手順（四肢に巻いて固定）により、生体情報の測定を行うことができる。
また、本変形例の医療用四肢ベルト１Ｃによれば、帯部２Ｃから加圧部を着脱可能に構成したので、加圧部を帯部２Ｃから外して医療用四肢ベルト１Ｃの全体を洗うことにより、清潔な状態を保つことができる。
【００５８】
また、従来、布及び面状ファスナーの材質によっては、ノイズを発生させてしまい、測定値や測定波形に影響を及ぼす場合もあった。
これに対し、本変形例の医療用四肢ベルト１Ｃは、帯部２Ｃをシリコーンで形成したので、測定値等に影響を与えることがない。
【００５９】
また、従来、帯部材の布や面状ファスナーに、測定用のペーストが付着する場合もあった。従来においても、付着したペーストを拭き取ることはできるものの、布と測定用バルーンとの分離や面状ファスナーと帯部材との分離は想定されていなかった。このため、従来の帯部材の布及び面状ファスナーをより清潔に保つには、改善の余地があった。特許文献１のクリップにおいても同様に、付着したペーストの除去に関して、改善の余地があった。
これに対し、本変形例の医療用四肢ベルト１Ｃによれば、帯部２Ｃの材質をシリコーンで形成し、加圧部６６（測定用バルーン）と帯部２Ｃを着脱可能に構成したので、加圧部６６を帯部２Ｃから外して、帯部２Ｃを洗うことが出来る。これにより、医療用四肢ベルト１Ｃの全体を清潔に保つことができる。医療用四肢ベルト１、１Ａ、１Ｂについても、シリコーンで形成することにより、医療用四肢ベルト１Ｃと同様の効果が得られる。
【００６０】
＜変形例４＞
次に、変形例４である医療用四肢ベルト１Ｄについて、図６を用いて説明する。なお、図１〜図５と共通する構成については、同一符号を付して説明を省略する。
【００６１】
図６に示す医療用四肢ベルト１Ｄは、帯部２Ｄと、紐部５０とを有している。帯部２Ｄは、表面２２及び裏面２１を貫通する孔２４Ａを有している。また、帯部２Ｄは、孔２４Ａを一端とする切り欠き部２８を有している。切り欠き部２８は、紐部５０を孔２４Ａに通すときに、紐部５０の太さや厚みに合わせて拡張可能な弾性を有している。図６（ａ）では、切り欠き部２８は、切り欠き部２８の右端を孔２４Ａと連通させた長尺な切り欠きで構成されている。
【００６２】
紐部５０は、テーパー部５１により構成されている。図６に示す紐部５０は、複数のテーパー部５１を一体成形することにより形成されている。
テーパー部５１は、孔２４Ａを通過可能な太さの通過部４Ａと、通過部４Ａの太さより太くかつ孔２４の縁部２７に係止可能な膨らみ部３Ａとを有している。通過部４Ａと膨らみ部３Ａとは、太さが連続的に変化する一部材として構成されていてもよい。すなわち、通過部４Ａと膨らみ部３Ａとは、明確な境界線を設けずに、徐々に太さが異なるように構成されていてもよい。
膨らみ部３Ａは、孔２４Ａの縁部２７に係止可能な係止面３１Ａを有している。
【００６３】
帯部２Ｄと膨らみ部３Ａの少なくとも一方は、弾性を有する。また、通過部４Ａが弾性を有しても良い。帯部２Ｄ、膨らみ部３Ａ及び通過部４Ａの弾性については帯部２、２Ａ、２Ｂ、２Ｃ、膨らみ部３、通過部４の記載と重複するので説明を省略する。
【００６４】
次に、図６に示す医療用四肢ベルト１Ｄの使用例を説明する。
帯部２Ｄの切り込み部２５を通過させた紐部５０のテーパー部５１を、孔２４Ａに挿通していく。この紐部５０を孔２４Ａに挿入しようとする力により、孔２４Ａの縁部２７を拡張する力がかかる。このとき、縁部２７を拡張する力は、孔２４Ａと連通している切り欠き部２８に逃がされる。
【００６５】
本変形例の医療用四肢ベルト１Ｄによれば、切り欠き部２８を有するので、孔２４Ａの強度が向上する。このため、紐部５０を孔２４Ａに繰り返し挿入し外したとしても、孔２４Ａの縁部２７から帯部２Ｄが破けることを防止することができる。
医療用四肢ベルト１、１Ａ、１Ｂ、１Ｃについても、医療用四肢ベルト１Ｄと同様に、切り欠き部２８を有する構成とすることができ、同様の効果を得ることができる。
【００６６】
本開示の帯部２、２Ａ、２Ｂ、２Ｃ、２Ｄは、上記した形状に限らない。帯部２、２Ａ、２Ｂ、２Ｃ、２Ｄの材質が十分に弾性変形できる程度に柔らかくて、容易に孔２４、２４Ａに紐部５、５０を抜き差しできる場合には、切り込み部２５を設けない形状としてもよい。
紐部５、５０の膨らみ部３、３Ａの材質が十分に弾性変形できる程度に柔らかくて、容易に孔２４、２４Ａに紐部５，５０を抜き差しできる場合も、帯部２、２Ａ、２Ｂ、２Ｃ、２Ｄは、切り込み部２５を設けない構成とすることができる。
また、本開示の医療用四肢ベルト１、１Ａ、１Ｂ、１Ｃ、１Ｄは、各種サイズで構成することができる。帯部２、２Ａ、２Ｂ、２Ｃ、２Ｄが変形可能に構成されているので、本開示の医療用四肢ベルト１、１Ａ、１Ｂ、１Ｃ、１Ｄは大人にも新生児にも好適に使用し得る。
【００６７】
本開示は、上述した実施形態や変形例に限定されず、適宜、変形、改良等が自在である。その他、上述した実施形態における各構成要素の材質、形状、形態、数、配置場所等は、本開示を達成できるものであれば任意であり、限定されない。
【符号の説明】
【００６８】
１、１Ａ、１Ｂ、１Ｃ、１Ｄ  医療用四肢ベルト、    ２，２Ａ，２Ｂ、２Ｃ、２Ｄ  帯部、    ３、３Ａ  膨らみ部、    ４、４Ａ  通過部、    ５、５０  紐部、    ６  医療器具、    ７  帯部本体、    ８  覆い部、    ２１  裏面、    ２２  表面、    ２３  接合部、    ２４、２４Ａ  孔、    ２５  切り込み部、    ２６  第一領域、    ２７  縁部、    ２８  切り欠き部、    ３１、３１Ａ  係止面、    ４１  第一通過部、    ４２  第二通過部、    ４３  第三通過部、    ４４  第四通過部、    ４５  第五通過部、    ４６  第六通過部、    ４７  第七通過部、    ５１  テーパー部、    ６１  挿通部、    ６２  筒部、    ６３  貫通孔、    ６４  医療器具挿入部、    ６５  電極板、    ６６  加圧部、    ７１  凹部、    ８１  基端部、    ８２  自由端部、    ８３  係合部
【図１】
2019055048.tif 000003
【図２】
2019055048.tif 000004
【図３】
2019055048.tif 000005
【図４】
2019055048.tif 000006
【図５】
2019055048.tif 000007
【図６】
2019055048.tif 000008